(57)【要約】【課題】浴室、洗面所、台所などの場所において給湯装置でお湯を出湯させる時、目や耳の不自由な方でも高温のお湯が出ることを確実に注意喚起し、安全かつより便利にお湯を利用してもらう給湯装置を提供する。【解決手段】給湯装置１において所定温度以上の高温のお湯が出るように設定された場合、お湯を出そうとする時、ユーザが操作する操作手段２１２に備えた振動手段２１１を、所定以上の温度設定で振動させ、ユーザが操作手段２１２を触ると蝕知でき、熱いお湯が出る前に気付くことができる。また蝕知で報知するので、目や耳の不自由な人でも、お湯を利用する場合に必ず操作する手段で注意喚起することで安全性、利便性をより高めることができる。【選択図】図２
2010060233.tif 000002
【特許請求の範囲】
【請求項１】
温水を生成する給湯手段と、給湯手段から供給される温水を吐出する吐出手段と、生成する温度を設定する温度設定手段と、前記温度設定手段で設定された設定温度に応じて給湯手段で温水を生成する制御手段と、吐出手段から温水を吐出させるためにユーザが出水または止水の操作を行なう操作手段と、前記操作手段に設け操作手段を振動させる振動手段とを備え、設定温度に応じて前記振動手段を制御し、前記操作手段を振動させる給湯装置。
【請求項２】
振動手段は、設定された温度が所定温度以上の場合に振動させることを特徴とする請求項１に記載の給湯装置。
【請求項３】
振動手段は、設定された温度帯に応じて異なる振動パターンで振動させることを特徴とする請求項１または２に記載の給湯装置。
【請求項４】
ユーザの手が操作手段に近接したことを検知する人感センサ手段を備え、ユーザの手が前記操作手段に近接したことを前記人感センサ手段で検知したとき、設定温度に応じて振動手段を振動させることを特徴とする請求項１〜３のいずれか１項に記載の給湯装置。
【請求項５】
振動手段の振動パターンを設定する振動パターン設定手段を備え、ユーザは温度に応じて、前記振動パターン設定手段で振動パターンを設定し、操作手段に触れることで設定された温度を感知させることを特徴とする請求項１〜４のいずれか１項に記載の給湯装置。
【請求項６】
水流で発電する発電手段と、発電した電力を蓄電する蓄電手段を備え、前記蓄電手段の電力で振動手段を駆動することを特徴とする請求項１〜５のいずれか１項に記載の給湯装置。
【請求項７】
給湯装置のリモコンで生成する温水の温度設定を行なうステップと、
吐出装置からの温水を出水または止水する為に、ユーザが吐出装置の操作手段を操作するステップと、
温水の設定温度に応じて前記操作手段に設けた振動装置を振動させるステップと、
を備えた給湯温度の報知方法。
【請求項８】
請求項１〜６のいずれか１項に記載の給湯装置の少なくとも一部をコンピュータに実現させるためのプログラム。
【発明の詳細な説明】
【技術分野】
【０００１】
本発明は、給湯装置で設定される温水の温度報知に関する給湯装置、給湯温度の報知方法またはプログラムに関するものである。
【背景技術】
【０００２】
従来の給湯器において、給湯器内の出湯配管の途中に湯温検出手段を設け、設定高温度が検出された時、その検出時点から所定時間経過後に、音声や表示によって注意報知を報知手段で行なうものがある（例えば、特許文献１参照）。この構成により高温のお湯が吐出するタイミングをユーザに報知し注意を喚起している。
【０００３】
また給湯器リモコンにおいて、給湯器の設定温度を変更したとき、所定の温度以上に高温に設定されると、表示手段に給湯設定温度が高温であることを警告表示するものもある（例えば、特許文献２参照）。
【特許文献１】特開２００２−１６２１１５号公報
【特許文献２】特開２００５−２３３４４２号公報
【発明の開示】
【発明が解決しようとする課題】
【０００４】
しかしながら、前記従来の構成では、高温のお湯が出ることを音声または表示でユーザに報知するが、目や耳が不自由な人には報知し注意喚起することができない。また実際、表示の場合は、リモコン等に表示されるが、浴室の中では一般的に文字も小さく見にくいという問題もある。また音声は、高齢者で耳の遠い人の場合には、聞きづらいという問題もある。さらに、浴室においてシャワー等でお湯を利用するとき、給湯器リモコンの設定を確認しないで利用することは少なくない。つまり自分以外の家族がお湯を利用するときに温度設定を変更し、高温のお湯が出湯される状態が発生するということもあり、リモコンでの音や表示での注意喚起だけでは、誰にでも確実に高温設定であることを伝えることは難しいという問題もある。
【０００５】
本発明は、浴室、洗面所、台所などの場所において給湯装置でお湯を出湯させる時、目や耳の不自由な方でも高温のお湯が出ることを確実に注意喚起し、安全かつより便利にお湯を利用してもらう給湯装置を提供することを目的とする。
【課題を解決するための手段】
【０００６】
温水を生成する給湯手段と、給湯手段から供給される温水を吐出する吐出手段と、生成する温度を設定する温度設定手段と、前記温度設定手段で設定された設定温度に応じて給湯手段で温水を生成する制御手段と、吐出手段から温水を吐出させるためにユーザが出水または止水の操作を行なう操作手段と、前記操作手段に設け操作手段を振動させる振動手段とを備え、設定温度に応じて前記振動手段を制御し、前記操作手段を振動させるようにしている。
【０００７】
このようにすることで、給湯装置で、所定温度以上の高温のお湯が出るように設定されていた場合、お湯を出そうとするときにユーザが操作するカランの操作レバーなどの操作手段に備えた振動手段（モータや圧電素子などで構成）で、所定温度以上の高温に設定されたときに振動させるようにすることで、ユーザが操作手段を触ると蝕知できるので、熱いお湯が出る前に気付くことができるようになる。また操作手段は、お湯を利用するときに必ず操作するので、注意喚起としてより確実で利便性がよくなる。
【０００８】
加えて、温度帯ごとに、ユーザに蝕知させる振動パターンを変更することで、操作手段
を触ったときにどの温度帯に設定しているかが、分かるようになり、より利便性を向上させる。
【発明の効果】
【０００９】
本発明の給湯装置、給湯温度の報知方法およびプログラムを用いることにより、お湯を出す操作をしたとき、誰にでも確実かつ利便性よく給湯温度を報知できるようになるという効果がある。
【発明を実施するための最良の形態】
【００１０】
第１の発明は、温水を生成する給湯手段と、給湯手段から供給される温水を吐出する吐出手段と、生成する温度を設定する温度設定手段と、前記温度設定手段で設定された設定温度に応じて給湯手段で温水を生成する制御手段と、吐出手段から温水を吐出させるためにユーザが出水または止水の操作を行なう操作手段と、前記操作手段に設け操作手段を振動させる振動手段とを備え、設定温度に応じて前記振動手段を制御し、前記操作手段を振動させる給湯装置を構成したものである。
【００１１】
これにより、給湯装置で、設定温度に応じて操作手段を振動させることができるので、お湯を出そうとするときに、操作するカランやレバーなどの操作手段に備えた振動手段（モータや圧電素子などで構成）で、所定温度以上の高温に設定されていることを振動させるようにできるので、給湯装置の温度設定値を、操作手段に触ることで報知できるようになる。
【００１２】
またお湯を出す時に必ず操作する操作手段に振動手段を設け、振動で蝕知させることで、目や耳の不自由な人にも報知でき、より確実に注意喚起できるので安全性や利便性が高まる。
【００１３】
第２の発明は、前記振動手段は、設定された温度が所定温度以上の場合に振動させる請求項１に記載の給湯装置を構成したものである。
【００１４】
これにより、所定温度以上の温度設定で、操作手段を振動させることで、所定温度以上、たとえば５０℃以上などの温度に設定されていた場合、高温設定になっていることを注意喚起できるので、給湯装置の安全性が高まる。また給湯装置として誰もが安全に使用できるようになる。
【００１５】
第３の発明は、前記振動手段は、設定された温度帯に応じて異なる振動パターンで振動させる請求項１または２に記載の給湯装置を構成したものである。
【００１６】
これにより、温度帯に応じて異なる振動を操作手段に与えることで、例えば３５〜４５℃は適温であることを示す心地よい振動パターンを加え、４６℃を超える温度は高温であることを示す刺々しい振動パターンを加えることで、リモコンの設定値を見なくても、お湯の設定帯を理解でき、間違って高温のお湯を出してしまうこともなくなり、適温であることもお湯を出す操作の中で確認できるので、安全性と利便性を高めることができる。
【００１７】
第４の発明は、ユーザの手が前記操作手段に近接したことを検知する人感センサ手段を備え、ユーザの手が前記操作手段に近接したことを前記人感センサ手段で検知したとき、設定温度に応じて振動手段を振動させるものである。
【００１８】
これにより、人感センサ手段で人の手が近接したことを検知し、設定温度に応じて振動手段を振動させることで、操作手段を設定温度に応じて常時振動さることなく、まさにお湯を出そうしている時に、振動させ温度設定値をユーザに蝕知させることができるようになり、不必要時に振動手段を振動させることがなくなるので省エネになると共に、より利便性が高まる。
【００１９】
第５の発明は、前記振動手段の振動パターンを設定する振動パターン設定手段を備え、
ユーザは温度に応じて、前記振動パターン設定手段で振動パターンを設定し、前記操作手段に触れることで設定された温度を感知させる構成にしたものである。
【００２０】
これにより、振動パターン設定手段で、温度に応じて、振動手段の振動パターンを設定できるようにすることで、ユーザの嗜好にあった温度設定で、所望の振動パターンにすることができるので、人によって感じ方が異なるお湯の温度を調整できるようになり、より利便性を向上する。
【００２１】
第６の発明は、水流で発電する発電手段と、発電した電力を蓄電する蓄電手段を備え、前記蓄電手段の電力で前記振動手段を駆動するようにしたものである。
【００２２】
これにより、発電手段でお湯を出すたびに水流で発電しまた蓄電手段で蓄電させることで、振動手段を駆動する電力を賄うようにすることで、給湯装置からカランやレバーなどの操作手段へ電力供給をしなくてもよくなり、配線工事がしやすくなり、設置性がよくなる。
【００２３】
第７の発明は、給湯装置のリモコンで生成する温水の温度設定を行なうステップと、吐出装置からの温水を出水または止水する為に、ユーザが吐出装置の操作手段を操作するステップと、温水の設定温度に応じて前記操作手段に設けた振動装置を振動させるステップと、を備えた給湯温度の報知方法である。
【００２４】
これにより、給湯装置で、設定温度に応じて操作手段を振動させることができるので、お湯を出そうとするときに、操作するカランやレバーなどの操作手段に備えた振動手段（モータや圧電素子などで構成）で、所定温度以上の高温に設定されていることを振動させるようにできるので、給湯装置の温度設定値を、操作手段に触ることで報知できるようになる。
【００２５】
またお湯を出す時に必ず操作する操作手段に設け、振動で蝕知させることで、目や耳の不自由な人にも報知でき、より確実に注意喚起できるので安全性や利便性が高まる。
【００２６】
第８の発明は、請求項１〜６のいずれか１項記載の給湯装置の少なくとも一部をコンピュータに実現させるためのプログラムである。
【００２７】
これにより、プログラムであるので、電気・情報機器、コンピュータ、等のハードリソースを協働させて本発明の少なくとも一部を簡単なハードウェアで実現できる。また記録媒体に記録したり通信回線を用いてプログラムを配信したりすることでプログラムの配布・更新やそのインストール作業が簡単にできる。
【００２８】
以下、本発明の実施の形態について、図面を参照しながら説明する。なお、この実施の形態によって本発明が限定されるものではない。
【００２９】
（実施の形態１）
図１は本発明の実施の形態１における給湯装置を説明する図である。図２は、給湯装置と温水を吐出するカランのブロック構成図である。図１において、給湯装置１は、ヒートポンプ式の給湯器であり、ヒートポンプユニット１ａ、貯湯タンクユニット１ｂから構成される。ヒートポンプユニット１ａは空気の熱を冷媒（例えば、ＣＯ２冷媒など）に吸収させ、コンプレッサーで圧縮することでさらに高温にし、配管に流れる水と熱交換させることで、お湯を作るシステムである。作られたお湯は、貯湯タンクユニット１ｂに貯められ、ユーザはお湯が必要なとき、貯湯タンクユニット１ｂに貯められたお湯を利用する。
【００３０】
リモコン２は、給湯装置１の制御を行なうリモコンである。リモコン２では、給湯用温水の温度設定や、風呂の湯はり温度設定、湯はり量などを設定する。また深夜にお湯を沸かし、貯湯タンクユニット１ｂに貯める湯量設定など、貯湯に関する設定機能も備える。また本実施の形態のリモコン２には、お湯を出す操作レバーを触って、温度帯を分かるための振動装置の振動パターンを設定する機能を備えている。詳細は後述する。
【００３１】
出湯配管３は貯湯タンクユニット１ｂに接続され、浴室のシャワー５やカラン６にお湯を供給する。カラン６の上部に操作レバー７を備え、操作レバー７を押し下げると出湯し、浴槽４にお湯が入る。操作レバー７には、振動装置８を備え、温度設定に応じて操作レバー７を振動させる。なお、図１では説明の為、振動装置８を上部に取り付けたように示したが、これに限定されるものではなく、操作レバー７に内蔵しても構わない。また図示しないが、貯湯タンクユニット１ｂには、家屋で利用されるその他の場所、洗面所や台所などのカランにも配管されお湯を供給する。
【００３２】
図２において、給湯装置１は給湯手段２０１、制御手段２０２、記憶手段２０３、温度設定手段２０４、振動パターン設定手段２０５、無線通信手段２０６で構成される。給湯手段２０１は、ヒートポンプユニット１ａや貯湯タンクユニット１ｂを協働させ、リモコン２で設定されたとおりお湯を生成し出湯配管３を通してカラン６に供給される。
【００３３】
制御手段２０２は給湯装置１の制御機能を提供する。具体的には、マイクロコンピュータなどで形成され、ＲＡＭ（Ｒａｎｄｏｍ  Ａｃｃｅｓｓ  Ｍｅｍｏｒｙ）やＲＯＭ（Ｒｅａｄ  Ｏｎｌｙ  Ｍｅｍｏｒｙ）などのメモリである記憶手段２０３に必要な設定情報を記憶し、給湯装置１を機能させている。温度設定手段２０４は、リモコン２に備えるスイッチで提供される。ユーザは温度設定手段２０４を操作し、カラン６より出湯するお湯の温度を設定、変更する。給湯温度は、３２℃、３５℃、３８〜４７℃、６０℃の範囲で設定できる。また風呂の湯はり温度設定も行なう。
【００３４】
振動パターン設定手段２０５は、温度ごとに操作レバー７を振動させる振動パターンを設定する。設定はユーザが、自分の嗜好に合わせて設定する。例えば、４０〜４２℃で使うのであれば、適温の振動パターンを、メニューから選択して設定する。温度範囲と予め用意された振動パターンメニューから選択して設定する。また４５℃を超える温度は、熱いお湯が出ることを報知するように、高温出湯の振動パターンを設定する。
【００３５】
高温出湯の注意報知の振動パターンは、ユーザが設定しない場合も、６０℃以上設定で、デフォルト設定してもよい。６０℃以上は、安全の為、高温出湯の振動パターンを変更できないようにしてもよい。振動パターンは、給湯装置１の機能として複数種類備えている。
【００３６】
無線通信手段２０６は、カラン６に備えた振動装置８を制御するための通信を行う。温度設定手段２０４で、温度設定が変更されると、制御手段２０２で温度設定情報が記憶手段２０３に記憶される。制御手段２０２は温度設定更新電文を生成し、無線通信手段２０６から、カラン６の第２の無線通信手段２０７に対して前記電文を送信する。また、振動パターン設定手段２０５で、振動パターン設定が変更された時、制御手段で振動パターン設定更新電文を生成し無線通信手段２０６から送信される。図示しないが、無線通信手段２０６、後述する第２の無線通信手段２０７には電波を送受信するアンテナが接続されている。
【００３７】
第２の無線通信手段２０７は、リモコン２の無線通信手段２０６からの温度設定更新電文、または振動パターン設定更新電文を受信する。前記電文が受信されると、第２の制御手段２０８で電文を解析し設定情報を第２の記憶手段２０９に記録する。
【００３８】
人感センサ手段２１０は、人の手が操作手段２１２（操作レバー７）に近接または接触したことを検知する。赤外線センサなどで構成される。人感センサ２１０で、操作レバー７に手が近接すると、後述する振動手段２１１を振動制御する。
【００３９】
振動手段２１１（振動装置８）は、小型モータや圧電デバイスなどで形成される。リモコン２の無線通信手段２０６から出湯通知電文を受信すると、第２の制御手段２０８で、給湯温度を確認し、当該温度に応じた設定された振動パターンを、第２の記憶手段２０９
より読み出す。そして振動手段２１１を温度に応じた振動パターンで駆動する。振動手段２１１は、操作手段２１２（操作レバー７）に取り付けられ、振動手段２１１が駆動すると、当該振動パターンで操作手段２１２が振動する。
【００４０】
吐出手段２１３は、操作手段２１２をユーザが操作すると、設定された温度のお湯が、給湯手段２０１から出湯配管３を通して吐出手段２１３から出湯される。
【００４１】
次に、ユーザが操作レバー７（操作手段２１２）を押し下げ、出湯操作をするとき動作、作用について図３を用いて説明する。図３は、給湯温度設定に応じて、操作レバー７（操作手段２１２）に振動パターンを与える動作を示すフローチャートである。
【００４２】
ユーザはリモコン２の温度設定手段２０４で給湯温度を設定する（Ｓ４０１）。例えば、この時４０℃に設定したとする。給湯温度が設定変更されたので、制御手段２０２で温度設定更新電文を生成し、無線通信手段２０６からカラン６の第２の無線通信手段２０７へ送信する。前記電文を受信すると、第２の制御手段２０８で温度設定の更新であることを判定し、第２の記憶手段２０９に給湯温度設定を４０℃と記憶する。この時、事前に振動パターン設定は行なわれており、４５℃以下は適温、４５℃を超える場合は高温として設定しているものとする。この設定は前述したとおり任意に変更することが可能である。適温の場合、緩やかな振動パターンで振動するように設定し、高温の場合、刺々しい振動パターンで振動するように設定している。
【００４３】
そして出湯する為、操作手段２１２に手を近づけると、人感センサ手段２１０で手が近接したことを検知する（Ｓ４０２）。
【００４４】
第２の制御手段２０８で、現在の給湯温度と、その温度がどの振動パターンであるかを、第２の記憶手段２０９より取得する（Ｓ４０３）。
【００４５】
第２の制御手段２０８で取得した設定温度が４０℃である場合、適温設定は４５℃以下であるので、適温と判定する（Ｓ４０４）。
【００４６】
適温の場合、第２の制御手段２０８は、振動手段２１１に適温の振動パターンである緩やかな振動パターンで駆動し振動を制御する。駆動された振動手段２１１は操作手段２１２を、緩やかな振動パターンで振動させ、ユーザが操作手段２１２に触れたとき、ユーザに蝕知させる（Ｓ４０５）。
【００４７】
そして操作手段２１２に触れたユーザは、緩やかな振動があると感じた時、現在の給湯温度設定が、所望の温度設定であると認識し、そのまま操作手段２１２を押し下げ操作をして、吐出手段２１３からお湯を出湯する。出湯しユーザが操作手段２１２より手を離すと、振動手段２１１は振動することを停止する。人感センサ手段２１０で検知後、操作手段２１２を操作しなかった場合、一定時間で振動制御は停止する。
【００４８】
また前述のＳ４０１で、ユーザの家族がリモコン２の温度設定手段２０４で、給湯温度を５０℃に設定していた場合について説明する。動作が同様に処理に関しては説明を省略する。
【００４９】
ユーザはお湯を出そうと、操作手段２１２に手を近づけると人感センサ手段２１０で検知し、振動手段２１１が駆動される。この時、給湯温度の設定は、５０℃であるので、高温の振動パターンで振動制御される。すなわち、刺々しい振動パターンで、操作手段２１２を振動させ、操作手段２１２に触れたユーザに、給湯温度が高温に設定されていることを蝕知させる（Ｓ４０６）。そして、操作手段２１２に触れたユーザは、お湯を出湯する前に、操作手段２１２に触れたときに、意図せず高温設定になっていることを認識する。
【００５０】
このように、給湯装置１で、設定温度に応じて操作手段２１２を振動させることができるので、お湯を出そうとするときに、操作するカラン６の操作レバー７（操作手段２１２）に備えた振動手段２１１（モータや圧電素子などで構成）で、所定温度以上の高温に設定されていることを振動させるようにできるので、給湯装置１の温度設定値を、操作手段
２１２に触ることで報知できるようになる。またお湯を出す時に必ず操作する操作手段２１２に設け、振動で蝕知させることで、目や耳の不自由な人にも報知でき、より確実に注意喚起できるので安全性や利便性が高まる。
【００５１】
また、所定温度以上の温度設定で、操作手段２１２を振動させることで、所定温度以上、たとえば５０℃以上などの温度に設定されていた場合、高温設定になっていることを注意喚起できるので、給湯装置利用の安全性が高まる。また給湯装置として、目や耳の不自由な人でもお年寄りでも、必ず操作する部分で触って分かるので、誰もがより安全に使用できるようになる。
【００５２】
また、温度帯に応じて異なる振動を操作手段２１２に与えることで、例えば４５℃以下は適温であることを示す心地よい緩やかな振動パターンを加え、４５℃を超える温度は高温であることを示すため危険を感じるような刺々しい振動パターンを加えることで、リモコン２の設定値を見なくても、お湯の設定帯を理解でき、間違って高温のお湯を出してしまうこともなくなり、適温であることもお湯を出す操作の中で確認できるので、安全性と利便性を高めることができる。
【００５３】
また、人感センサ手段２１０で人の手が近接したことを検知し、設定温度に応じて振動手段２１１を振動させることで、操作手段２１２を設定温度に応じて常時振動さることなく、正にお湯を出そうしている時に、振動させ温度設定値をユーザに蝕知させることができるようになり、不必要時に振動手段２１１を振動させることがなくなるので省エネになると共に、より利便性が高まる。
【００５４】
また、振動パターン設定手段２０５で、温度に応じて、振動手段２１１の振動パターンを設定できるようにすることで、ユーザの嗜好にあった温度設定で、所望の振動パターンにすることができるので、人によって感じ方が異なるお湯の温度を調整できるようになり、より利便性を向上する。
【００５５】
（実施の形態２）
図４は、本発明の実施の形態２における発電手段と蓄電手段を設けたカラン６のブロック構成図である。実施の形態２において、前述の実施の形態１と同じ構成要素に関しては同一番号を付し説明を省略する。
【００５６】
発電手段３０１は、カラン６の吐出手段２１３の一部に設けた発電ユニットである。発電手段３０１は、水流で回転する水車と、水車の回転エネルギーを電気エネルギーに変換する発電機からなる。出湯時の水流で歯車を回転させ発電する。
【００５７】
蓄電手段３０２は、前記発電手段３０１で発生させた電気を蓄電する二次電池、またはキャパシタである。この蓄電手段３０２に蓄えた電力で、カラン６に備えた第２の制御手段２０８、第２の無線通信手段２０７、振動手段２１１などの電子部品を駆動する。
【００５８】
このようにすることで、給湯装置１から電力供給せずに、カラン６に内蔵する振動手段２１１などを動作させることができるようになり、配線工事がしやすくなり、設置性もよくなる。
【００５９】
なお、本実施の形態１、２では、カランを用いて給湯装置を説明したが、シャワーであってもよい。また振動を与える操作手段２１２は、複数であっても構わない。また、給湯装置１として、ヒートポンプ給湯器で説明したが、電気温水器、ガス給湯器、燃料電池やガスエンジンを用いたコージェネレーションシステムなど給湯機能の付いた装置であってリモコンなどの制御手段があるものであればよい。
【００６０】
また給湯装置１のリモコン２と、カラン６との間で無線通信するように説明したが、電波帯には依存しない。宅内で一般的に利用される特定小電力無線、無線ＬＡＮ、２．４ＧＨｚ帯のＺｉｇｂｅｅなどが利用されるものである。また無線通信で通信するように説明
したが、無線を利用しなくてもよく、有線で配線して制御しても構わない。
【００６１】
またカラン６には、マイコンを搭載しているように記載したが、リモコン２や給湯装置１の制御手段から直接的に制御するようにしても構わない。また利用される場所には依存せず、一般家庭、商用施設、業務用途であってもよい。
【００６２】
また人感センサ手段２１０は、振動手段２１１を動作させるタイミングを効率的にするために設けているが、無くても構わない。また人感センサ手段２１０は、赤外線検知以外でもよく、操作手段２１２を操作しようとしていることを検知できるものであれば、静電容量検知でも、超音波センサなどであってもよく手段に依存しない。
【００６３】
また本実施の形態で説明した手段は、ＣＰＵ（またはマイコン）、ＲＡＭ、ＲＯＭ、記憶・記録装置、Ｉ／Ｏなどを備えた電気・情報機器、コンピュータ、サーバー等のハードリソースを協働させるプログラムの形態で実施してもよい。プログラムの形態であれば、磁気メディアや光メディアなどの記録媒体に記録したりインターネットなどの通信回線を用いて配信することで新しい機能の配布・更新やそのインストール作業が簡単にできる。
【産業上の利用可能性】
【００６４】
本発明にかかる給湯装置、給湯温度の報知方法及びプログラムは、家庭用、業務用などの給湯機能を提供する装置、システムに利用できる。
【図面の簡単な説明】
【００６５】
【図１】本発明の実施の形態１における給湯装置のシステム構成図
【図２】本発明の実施の形態１における給湯装置とカランを示すブロック図
【図３】本発明の実施の形態１における給湯装置の動作を示すフローチャート
【図４】本発明の実施の形態２における発電機能を設けたカランのブロック図
【符号の説明】
【００６６】
１  給湯装置
２  リモコン
６  カラン（吐出装置）
７  操作レバー（操作手段）
８  振動装置
２０１  給湯手段
２０２  制御手段
２０４  温度設定手段
２０５  振動パターン設定手段
２１０  人感センサ手段
２１１  振動手段
２１２  操作手段
２１３  吐出手段
３０１  発電手段
３０２  蓄電手段
【図１】
2010060233.tif 000003
【図２】
2010060233.tif 000004
【図３】
2010060233.tif 000005
【図４】
2010060233.tif 000006